(57)【要約】本発明は縦方向及び横方向を有する吸収製品であって、吸収製品が前端部及び後端部（８，１０）、中間股部（１２）、縦方向及び横方向に延びる縁、上方液体透過性表面層（２）、下方液体不透過性表面層（４）、表面層（２，４）の間に配置されかつ縦方向及び横方向の縁を含む吸収体（６）、縦方向に延びる製品の縁に実質的に平行に配置された縦方向に延びる液体バリヤー（５）、液体バリヤー（５）の外側に縦方向に延びかつ表面層（２，４）の少なくとも一方の一部を含む側部フラップ（３）及び液体バリヤー（５）又は側部フラップ（３）に固定されかつ縦方向に延びる弾性要素（１１；１４；３０）を含み、液体バリヤー（５）がそれぞれ自由縁（７）を有し、液体透過性表面層（２）が少なくとも液体バリヤー（５）の間で製品の縦方向に延びるものに関する。各液体バリヤー（５）は少なくとも製品の股部（１２）で吸収製品へのその取付け（９）とその自由縁（７）との間の領域において吸収体（６）の縁の外側の隣接する側部フラップ（３）に固定されており、その結果として製品が縦方向に延びる縁に沿って配置された二重の隆起した漏れバリヤーを有する。【選択図】図３
2004511301.tif 000002
【特許請求の範囲】
【請求項１】
縦方向及び横方向を有する吸収製品であって、吸収製品が前端部及び後端部（８，１０）、中間股部（１２）、縦方向及び横方向に延びる縁、上方液体透過性表面層（２）、下方液体不透過性表面層（４）、表面層（２，４）の間に配置されかつ縦方向及び横方向の縁を含む吸収体（６）、縦方向に延びる製品の縁に実質的に平行に配置された縦方向に延びる液体バリヤー（５）、液体バリヤー（５）の外側に縦方向に延びかつ表面層（２，４）の少なくとも一方の一部を含む側部フラップ（３）及び液体バリヤー（５）又は側部フラップ（３）に固定されかつ縦方向に延びる弾性要素（１１；１４；３０）を含み、液体バリヤー（５）がそれぞれ自由縁（７）を有し、液体透過性表面層（２）が少なくとも液体バリヤー（５）の間で製品の縦方向に延びるものにおいて、各液体バリヤー（５）が少なくとも製品の股部（１２）で吸収製品へのその取付け（９）とその自由縁（７）との間の領域において吸収体（６）の縁の外側の隣接する側部フラップ（３）に固定されており、その結果として製品が縦方向に延びる縁に沿って配置された二重の隆起した漏れバリヤーを有することを特徴とする吸収製品。
【請求項２】
弾性要素（１１；３０）が液体バリヤーに固定されている請求項１記載の吸収製品。
【請求項３】
弾性要素が側部フラップ（１４；３０）に固定されている請求項１記載の吸収製品。
【請求項４】
側部フラップが液体バリヤー材料を含む請求項１〜３のいずれか一項記載の吸収製品。
【請求項５】
側部フラップ（３）が液体透過性表面層材料（２）の一部を含む請求項１〜４のいずれか一項記載の吸収製品。
【請求項６】
側部フラップ（３）と液体バリヤー（５）の両方が液体透過性表面層材料（２）の一部を含む請求項１〜５のいずれか一項記載の吸収製品。
【請求項７】
液体バリヤー（５）と側部フラップ（３）の両方が液体不透過性表面層材料（４）の一部を含む請求項１〜６のいずれか一項記載の吸収製品。
【請求項８】
側部フラップ（３）が液体不透過性表面層材料（４）の一部を含む請求項１〜７のいずれか一項記載の吸収製品。
【発明の詳細な説明】
【０００１】
技術分野
本発明はおむつ、失禁パッド、衛生ナプキン又は同様物の如き吸収製品であって、吸収製品が縦方向及び横方向を有し、前端部及び後端部、中間股部、縦方向及び横方向の縁、上方液体透過性表面層、下方液体不透過性表面層、縦方向及び横方向の縁を有する吸収体、縦方向に延びる製品の縁に実質的に平行に配置された縦方向に延びる液体バリヤー、液体バリヤーの外側に縦方向に延びかつ表面層の少なくとも一方の一部を含む側部フラップ、及び縦方向に延びかつ液体バリヤー又は側部フラップに固定された弾性手段を含み、各液体バリヤーが自由縁を有し、液体透過性表面層が少なくとも液体バリヤーの間に全面的に延びるものに関する。
【０００２】
背景技術
おむつ、衛生ナプキン又は失禁パッドの如き吸収製品の使用中、尿、ゆるい便、月経液又は他の体液の如き着用者に面する製品の表面と接触するようになる様々な種類の体放出物が製品の液体透過性表面層を貫通して製品の吸収体に入り込むことが直接可能でない場合がしばしばある。この時、放出された液体が液体透過性表面層の上部で移動し始め製品の縁を越えて走り出す危険がある。液体の移動は液体透過性表面層の上部のいかなる方向においても起こり得る。製品の横方向の液体の移動は特に心配すべきである。何故なら横方向の比較的小さい液体移動ですら液体が製品の長辺の一つの外側に走り出し、衣類、ベッド布、シートクッション及び他の包囲する物品が放出された液体により容易に汚されるという結果をもたらすからである。
【０００３】
この問題を削除するため、改良における多くの異なる試みがなされている。例えば、液体透過性表面層は様々な種類の体液が迅速に通過してかくして液体が表面層の貫通が起こる前に表面の上部で更に移動するための時間を有しないようにするため液体透過性表面層の能力に関してかなり改良されたことが言及されることができる。体液が吸収製品の長辺の外側に走ることを防止する最も一般的な試みは製品の縦方向縁に関連して様々な形態のバリヤーを形成させる異なる方法の試みにある。このバリヤー形成の目的は走る液体が製品の縦方向縁を通過して製品の外側に達して漏れを生ずることを防止することである。様々な種類のバリヤー解決策が記述されている。
【０００４】
バリヤー機能を持つ側部フラップを有する吸収製品は例えばＥＰ特許第００９１４１２号、ＵＳ特許第３８６０００３号、ＵＳ特許第４５７９５５６号及びＵＳ特許第５０３２１２１号に記載されている。これらの特許はカバー層の間に配置された予め緊張された弾性システムと一緒に製品の二つのカバー層からなる側部フラップを有する吸収製品を記載する。これらの予め緊張された弾性システムが収縮されるとこれは側部フラップ中の材料も収縮されるということを意味し、かくしてそれぞれのカバー層平面に関して上方に向けられた配置にもたらされるということを意味する。それらの隆起された配置において、隆起された側部フラップは着用者の大腿部／鼠蹊部に対して効果的に封止するバリヤーを構成する。
【０００５】
国際特許出願ＷＯ　９８／０８４７４は伸縮性をもたされた側部フラップを有する他の形態の吸収製品を記載する。ＷＯ　９８／０８４７４による伸縮性をもたされた側部フラップは製品の液体透過性カバー層の上に折り畳まれ、液体透過性カバー層に固定される。その結果、製品の縦方向対称線に向かって傾斜する上向きのバリヤーを有する吸収製品が得られる。
【０００６】
ＵＳ特許第４９０４２５１号は吸収体の縦方向縁と側部フラップの縦方向外側縁との間で製品の縦方向に延びる上向きのバリヤーを有する吸収製品を記載する。上向き配置はバリヤー材料と一緒に収縮される予め緊張された弾性糸、バンド又は同様物によってこの種類のバリヤーのために作り出される。
【０００７】
二重の伸縮性をもたされたバリヤーシステムを含む吸収製品はＵＳ特許第４６９５２７８号に記載されている。この特許は伸縮性をもたされた内側バリヤーと伸縮性をもたされた側部フラップの両方を含む吸収製品を記載する。内側バリヤーは製品の縦方向に延び、液体透過性カバーの平面に関して上向き配置に採用される。製品の両カバー層からなる側部フラップは様々な種類の予め緊張された弾性システムをも与えられており、これは収縮する際に一緒に引かれ、その時側部フラップも収縮させ、かくして良好なバリヤー機能を与える上向き配置を採用する。この解決策の利点は液体透過性表面層の上部を走る体液が二つのバリヤーを通過しなければ漏れが生じないということである。この二重バリヤー解決策の問題は漏れ防止に主には関連しておらず、むしろ材料費用、製造及び快適さに関連するものである。
【０００８】
二重の伸縮性をもたせたバリヤーシステムは何よりもまず弾性材料の費用が劇的に増大するということを意味する。弾性材料（これはしばしば固定しにくい）を固定するための特別な種類の固定接着剤により生ずる費用は二重の弾性システムに使用される場合、増大する。接着剤を用いた固定弾性システムは現在最も一般的な固定方法である。そして、固定弾性材料は複雑であるため、多量の極度に高価な接着剤品質が大部分の場合選択されなければならない。更に、余分な弾性材料及び接着剤は吸収物品の環境に対するやさしさが損なわれるということを意味する。
【０００９】
吸収物品の製造に関する限り、それは十分な収益性を達成するために高速で行われなくてはならず、吸収物品の各々の新しい材料部材は製造プロセスにおけるプロセスステップの数が増大することをも意味し、これは次に製造機械における機械の停止が生ずる危険がある場所の数が増大することを意味する。多数の出発材料を含む物品を製造するための一層複雑な製造機械を始動／再開させることは数個の材料部材しか含まない複雑でない物品を製造するための単純な機械を始動させることよりもずっと困難であり時間がかかる。一又はいくつかの材料部材を欠く規格外の製品の数は部材材料の数の増大と共に増大し、これらの製品は拒絶されなければならず、原材料の収益の高い使用を減少させる。更に、多数の弾性タイプの材料部材は、これらの材料部材は通常ロール形状で製造機械に供給されるので、より多くのロール交換を意味し、これは最大効率を有する機械における製造のための高い人の関与レベル（ｍａｎｎｉｎｇ　ｌｅｖｅｌ）を必要とする。吸収物品に追加される新しい材料部材は上述の通り製造機械が一層複雑になり、その結果、維持費用が増大するということをも意味する。
【００１０】
側部フラップの最外縁上又は内側バリヤーの自由縁上の如き吸収製品上の突出する自由縁に関連して適用される弾性部材は快適さの観点からは更に不運である。何故なら自由縁は折り畳まれかつ剛化され、結果としてすりむく傾向を増大させるからである。弾性システムそれ自体及び弾性システムを固定するのに通常必要な余分な接着剤は伸縮性をもたされた縁の剛さをかなり増大させ、これは着用者刺激の問題をしばしば生ずる。刺激の問題は特に大きい。何故なら、弾性部材の目的はその弾性能力により着用者の大腿部側又は鼠蹊部に対して押圧して封止を与えることにあるからである。
【００１１】
発明の開示
単一のバリヤーシステムのみを有する吸収製品について必要とされるよりも多くの弾性材料を使用する必要なしに二重バリヤーシステムを有する吸収物品を提供する問題は本発明によって解決される。
【００１２】
本発明は二重バリヤーシステムを有する従来の吸収物品が有する高い材料費用の問題をも解決する。
【００１３】
更に、本発明は二重バリヤーシステムを有する吸収物品の製造に従来必要な余分な弾性体適用ユニットを有さない製造機械で製造されることができる二重バリヤーシステムを有する吸収物品を提供する。
【００１４】
硬い伸縮性をもたされた縁の剛さによって生ずる摩損の如き不快さは本発明によってかなり減少される。何故なら本発明による吸収物品は剛い伸縮性をもたされた縁をそれほど多く含まないからである。
【００１５】
本発明により作られた導入部において言及された種類の製品は、各液体バリヤーが少なくとも製品の股部分において、吸収製品へのその取り付けとその自由縁との間の領域において、吸収体の縁の外側の隣接する側部フラップに固定され、その結果、製品は縦方向に延びる縁に沿って配置された二重の隆起した漏れバリヤーを有することによって主に特徴付けられる。
【００１６】
従って、本発明によれば、一方のバリヤーのみが少なくとも製品の股部分で伸縮性をもたされた二重縁バリヤーをもたらすことが可能である。これに関し、内側バリヤー又は最外側部フラップのいずれかが伸縮性をもたされる。
【００１７】
本発明による製品において、伸縮性をもたされたバリヤー要素は伸縮性をもたされたバリヤー要素が収縮されて上向き配置にもたらされるときに伸縮性をもたされていないバリヤー要素を上向き配置にもたらす。
【００１８】
好ましい実施態様によれば、内側バリヤーは伸縮性をもたされており、外側に位置する伸縮性をもたされていない側部フラップに固定されている。
【００１９】
他の実施態様によれば、外側側部フラップは伸縮性をもたされており、内側に位置する伸縮性をもたされていないバリヤーに固定されている。
【００２０】
更なる実施態様によれば、内側バリヤーと外側に位置する側部フラップの両方は同一材料を含む。
【００２１】
更なる実施態様によれば、側部フラップは液体透過性カバー層の一部を含む。
【００２２】
更なる実施態様によれば、内側バリヤーと外側に位置する側部フラップの両方は液体透過性カバー材料の一部を含む。
【００２３】
図面の簡単な記述
本発明は添付の図に示される例示的実施態様を参照して以下詳細に記述されるであろう。
図中、
図１は使用中着用者に面することを意図される側からみた吸収製品を示す。
図１ａは使用中着用者に面することを意図される側からみた吸収製品の代替実施態様を示す。
図２は使用中着用者から離れて面することを意図される側からみた吸収製品を示す。
図３は本発明の第一実施態様による図１及び２中の製品のバリヤーの断面図を示す。
図４は本発明の第二実施態様による図１ａ及び２中の製品のバリヤーの断面図を示す。
図５は本発明の第三実施態様による図１及び２中の製品のバリヤーの断面図を示す。
図６は本発明の第四実施態様による図１ａ及び２中の製品のバリヤーの断面図を示す。
図７は本発明の第五実施態様による図１及び２中の製品のバリヤーの断面図を示す。
図８は本発明の第六実施態様による図１ａ及び２中の製品のバリヤーの断面図を示す。
図９は本発明の第七実施態様による図１及び２中の製品のバリヤーの断面図を示す。
図１０は本発明の第八実施態様による図１ａ及び２中の製品のバリヤーの断面図を示す。
図１１は本発明の第九実施態様による図１及び２中の製品のバリヤーの断面図を示す。
図１２は本発明の第十実施態様による図１ａ及び２中の製品のバリヤーの断面図を示す。
図１３は本発明の第十一実施態様による製品のバリヤーの断面図を示す。
図１４は本発明の第十二実施態様による図１中の製品の断面図を示す。
【００２４】
発明の実施態様の記述
本発明はおむつ、失禁パッド、衛生ナプキン又は同様物の如き吸収製品に関する。
【００２５】
図１及び２に示される実施態様は軽い失禁用の失禁パッド１に関する。失禁パッド１は砂時計形状であり、これに関して二つの幅広い端部分８及び１０、並びに端部分８及び１０の間に位置する狭い股部分１２を有する。股部分１２は着用者の大腿部の間の最も狭い領域に使用中位置することを意図され、通常の使用中、放出された体液によってまず湿らされる失禁パッド１の領域である。
【００２６】
失禁パッド１は使用中着用者に面することを意図される失禁パッド１の表面にわたって配置された第一の液体透過性カバー層２、使用中着用者から離れて面することを意図される製品の表面にわたって配置された第二の液体不透過性カバー層４、及び二つのカバー層２及び４の間に包囲された吸収体６を含み、側部フラップ３が吸収体６の外側に配置されており、内側バリヤー５が使用中着用者に面することを意図される失禁パッド１の側上に側部フラップ３と関連して配置されている。
【００２７】
液体透過性カバー層２は吸収体６の全周囲に沿って吸収体６を越えて延びる。液体透過性カバー層２は目的に好適ないかなる材料からもなることができる。一般的に使用される液体透過性カバー材料の例は不織布材料、有孔プラスチックフィルム、プラスチック又は織編物から作られたネット及び液体透過性フォーム層である。製品の縦又は横方向に本質的に延びる連続する薄い繊維からなる液体透過性カバー材料も見出される。上述の可能なカバー材料の二つ以上からなるラミネートも表面の異なる部分において異なる材料からなるカバーと同様に一般的である。
【００２８】
液体不透過性カバー層４は吸収体６の全周囲に沿って吸収体６を越えて延びる。液体不透過性カバー層４は多数の異なる材料からなることもできる。最も一般的には液体不透過性カバー層４は薄い液密プラスチックフィルムからなるが、他の種類の液密材料も用いることができる。例えばプラスチック、液密フォーム層、液密接着剤又は同様物でコートされることによって液密にされた不織材料の如き液密材料を用いることができる。液体不透過性カバー層４は蒸気透過性材料からなることもできる。
【００２９】
記述された種類の吸収製品は製品を着用者の下着に固定するための取付けシステムを通常含む。かかる取付けシステムは吸収製品の液体不透過性カバー層４上に配置された一以上の接着剤ストランド及び接着剤ストランドにわたって配置された保護層を通常含む。他の種類の取付けシステムも可能であり、例えば高摩擦材料の層、タッチアンドクローズ材料の層又は同様物を挙げることができる。図には取付けシステムは示されていない。
【００３０】
カバー層２及び４は吸収体６の全周囲に沿って吸収体６の外側で相互連結されている。カバー層２，４は極めて多くの異なる方法で相互連結されることができる。連結方法の一例は接着、ホットメルト、超音波溶接又は同様物である。
【００３１】
吸収体６はセルロース毛羽パルプの一以上の層からなることができる。これに関してセルロース毛羽パルプは吸収中、多量の液体を化学的に結合しつつ液体含有ゲルを形成する種類の高度吸収ポリマー材料の繊維又は粒子と混合されることができる。吸収体６は吸収体６の特性を改良するための追加の成分を含むことができる。かかる成分の一例は結合繊維、様々な種類の液体分布層又は繊維、形状安定化成分、強化繊維又は同様物である。吸収体６は吸収不織材料、吸収フォーム、織編物材料、ピート、又は異なる種類の吸収材料の混合物の如き他の種類の吸収材料からなることももちろんできる。多量の液体を迅速に受け入れてこの液体を一時的に貯蔵し、続いて一時的に貯蔵された液体を吸収体６の他の部分へと通させる特殊な層も吸収体の一部を形成することができる。
【００３２】
内側バリヤー５は少なくとも失禁パッド１の股部分１２において失禁パッド１の縦方向対称線２７に本質的に平行に縦方向に延びる。内側バリヤー５は失禁パッド１の縦方向対称線２７に関して本質的に対称に配置される。各内側バリヤー５は液体透過性カバー層２に取付けられた縁９及び自由縁７を有する。
【００３３】
各内側バリヤー５は少なくとも失禁パッド１の股部分１２において隣接する側部フラップ３に連結されている。
【００３４】
隣接する側部フラップ３への内側バリヤー５の連結は多数の方法で作られることができる。それは連続的な線状連結、多数の短い線状連結、多数の点連結又は単一の点連結であることができ、製品の股部分１２に配置されることが好ましい。他の幾何学的な連結方法又は上述の連結方法の組合せも用いることができる。連結種類の例は接着、溶融、超音波溶接、縫製又は同様物である。
【００３５】
内側バリヤー５は予め緊張された状態で内側バリヤー５に連結された弾性要素１１を含む。予め緊張された弾性要素１１が開放されると、それらは弾性要素１１が連結されている内側バリヤー５と一緒に収縮する。次に内側バリヤー５は液体透過性カバー層２から離れて隆起された配置にもたらされる。これに関して、内側バリヤー５は内側バリヤー５と側部フラップ３との間の連結を考慮して側部フラップ３を液体透過性カバー層２の平面から離れて隆起された配置にもたらす。
【００３６】
弾性要素１１は内側バリヤー５の自由縁７と内側バリヤー５の取付け縁９との間に配置されている。弾性要素１１は例えば一以上の弾性糸、一以上の弾性バンド、弾性プラスチックフィルムのストリップ、弾性不織材料のストリップ、弾性フォーム材料又は同様物からなることができる。弾性要素１１は多数の異なる方法で内側バリヤー５に連結されることができる。連結方法の例は接着、溶接、縫製又は同様物である。
【００３７】
図１ａ及び２に示されている代替実施態様は図１ａ及び２における失禁パッド１は内側バリヤー５に連結された弾性要素を含まないという事実を除いては図１及び２による失禁パッドに対応する失禁パッド１を示す。代わりに、弾性要素１４は側部フラップ３に配置されている。
【００３８】
弾性要素１４は予め緊張された状態で側部フラップ３に連結されている。予め緊張された弾性要素１４が開放されると、それらは弾性要素１４が連結されている側部フラップ３と一緒に収縮する。次に側部フラップ３は隆起された配置にもたらされる。これに関して、側部フラップ３は内側バリヤー５と側部フラップ３との間の連結を考慮して内側バリヤー５を液体透過性カバー層２の平面から離れて隆起された配置にもたらす。
【００３９】
弾性要素１４は吸収体６の縦方向縁２８と側部フラップの自由縁１６との間に配置されている。弾性要素１４は弾性要素１１と同一の種類の弾性要素からなることができる。弾性要素１４は弾性要素１１が内側バリヤー５に連結されることができる方法と同じ方法で側部フラップ３に連結されることができる。
【００４０】
図３及び４は股部分１２における失禁パッド１の一方の側部フラップ３と一方の内側バリヤー５を通した失禁パッド１の一部の拡大された断面図を示す。図３における断面図は図１及び２による失禁パッド１の実施態様を示し、一方図４における断面図は図１ａ及び２による失禁パッド１の実施態様を示す。
【００４１】
突出する側部フラップ３は二つのカバー層２，４を含んでおり、これらは接着剤によって相互連結されている。
【００４２】
突出する内側バリヤー５は着用者に面することを意図される液体透過性カバー層２の側に配置されており、カバー層の平面から突出する。内側バリヤー５は液体透過性カバー層２中の折り畳みによって形成される。それ故、内側バリヤー５は液体透過性カバー材料２と同一の材料からなることができ、例えば疎水化によってより液体透過性でなくなるようにされることができる。これに関して内側バリヤー５を構成する初めは液体透過性である材料の一部のみが疎水化される。疎水化は極めて多くの異なる方法によってもたらされることができ、例えば疎水化剤を材料上にスプレーするか又は転写ローラーから疎水化剤を転写することによってもたらされることができる。内側バリヤー５は内側バリヤー５を構成する初めは液体透過性である材料の一部をプラスチックフィルムの薄いストリップ、疎水性不織ストリップ又は同様物の如き異なる種類のより液体透過性でない材料と一緒にラミネートすることによってより液体透過性でなくなるようにされることもできる。内側バリヤー５の縦方向の拡がりの限定された領域のみにおいて内側バリヤー５の液体透過性を減少させるように選択することも可能である。この場合、上述の疎水化又はラミネーションは、内側バリヤー５の縦方向の拡がりの一部のみに沿って、例えば失禁パッド１の股部分１２のみにおいて、行われることができる。
【００４３】
図３における失禁パッド１は伸縮性をもたされた内側バリヤー５を有する。内側バリヤー５は接着剤１３によって側部フラップ３に連結されている。内側バリヤー５の自由縁７に関連して予め緊張された状態で適用された弾性要素１１は少なくとも弾性要素の端部分において内側バリヤー５に連結されている。収縮すると弾性要素１１は内側バリヤー５と側部フラップ３の両方を液体透過性カバー層２の平面から離れる方向に隆起された配置へともたらす。
【００４４】
内側バリヤー５中の材料の収縮は内側バリヤー５の固定された縁９から弾性要素１１の最外部分、つまり内側バリヤーの自由縁７の最も近くに位置する弾性要素１１の部分、へと増大する。
【００４５】
図４における失禁パッド１は伸縮性をもたされた側部フラップ３を有する。側部フラップ３は接着剤１３によって内側バリヤー５に連結されている。弾性要素１４は側部フラップ３の取付け縁１５と側部フラップ３の自由縁１６との間に、好ましくは側部フラップ３の取付け縁１５よりも側部フラップ３の自由縁の近くに配置されている。弾性要素１４は失禁パッド１の縦方向に延びる。収縮すると、弾性要素１４は内側バリヤー５と側部フラップ３の両方を液体透過性カバー層２の平面から離れる方向に隆起された配置へともたらす。
【００４６】
図５及び６は股部分１２における失禁パッド１の一方の側部フラップ３及び一方の内側バリヤー５を通した失禁パッド１の拡大された断面図を示す。突出する側部フラップ３は液体不透過性カバー層４を含む。内側バリヤー５及び側部フラップ３は本質的に液体不透過性の材料ウェブ１７を含む。材料ウェブ１７は失禁パッド１の縦方向中央線２７と内側バリヤー５との間に位置する内側縦方向縁１８を有する。材料ウェブ１７は失禁パッド１の縦方向中央線２７と内側バリヤー５との間で液体透過性カバー層２に連結されている。液体不透過性カバー層４及び材料ウェブ１７は吸収体６の外側で相互連結されている。
【００４７】
図７及び８は股部分１２における失禁パッド１の一方の側部フラップ３及び一方の内側バリヤー５を通した失禁パッド１の拡大された断面図を示す。図７における断面図は図１及び２による失禁パッド１の実施態様を示し、一方図８における断面図は図１ａ及び２による失禁パッド１の実施態様を示す。
【００４８】
突出する側部フラップ３は液体不透過性カバー層４及び液体透過性カバー層２によって形成されている。
【００４９】
内側バリヤー５は本質的に液体不透過性の材料ウェブ１９を含む。材料ウェブ１９は失禁パッド１の縦方向中央線２７と内側バリヤー５との間に位置する内側縦方向縁２０、及び側部フラップ３の自由縁１６とバリヤー５との間に位置する外側縦方向縁２１を有する。材料ウェブ１９は失禁パッド１の縦方向中央線２７と内側バリヤー５との間、及び側部フラップ３の自由縁１６とバリヤー５との間で液体透過性カバー層２に連結されている。
【００５０】
図９及び１０は股部分１２における失禁パッド１の一方の側部フラップ３及び一方の内側バリヤー５を通した失禁パッド１の拡大された断面図を示す。内側バリヤー５は液体透過性カバー層２によって形成されている。
【００５１】
液体透過性カバー層２は側部フラップ３の自由縁１６とバリヤー５との間に位置する外側縦方向縁２２を有する。側部フラップ３は柔らかい快適な材料ウェブ２３を含むことができる。液体透過性カバー層２は側部フラップ３の自由縁１６とバリヤー５との間で側部フラップ３に連結されている。
【００５２】
図１１及び１２は股部分１２における失禁パッド１の一方の側部フラップ３及び一方の内側バリヤー５を通した失禁パッド１の拡大された断面図を示す。内側バリヤー５は本質的に液体不透過性の材料ウェブ２４を含む。材料ウェブ２４は吸収製品１の縦方向中央線２７と内側バリヤー５との間に位置する内側縦方向縁２５を有する。材料ウェブ２４は製品１の縦方向中央線２７と内側バリヤー５との間で液体透過性カバー層２に連結されている。本質的に液体不透過性材料ウェブ２４は側部フラップ３の自由縁１６と内側バリヤー５との間に位置する外側縦方向縁２６を有する。側部フラップ３は柔らかい快適な材料ウェブ２３を含むことができる。液体不透過性材料ウェブ２４は側部フラップ３の自由縁１６と内側バリヤー５との間で側部フラップ３に連結されている。
【００５３】
図１３は股部分１２における失禁パッド１の一方の側部フラップ３及び一方の内側バリヤー５を通した失禁パッド１の拡大された断面図を示す。突出する側部フラップ３は接着剤によって相互連結された二つのカバー層２，４によって形成されている。内側バリヤー５は液体透過性カバー層２中への折り畳みによって形成されている。内側バリヤー５は図３及び４による実施態様の対応する内側バリヤー５と同一の様式でより液体透過性でないようにされることができる。内側バリヤー５及び側部フラップ３は少なくとも失禁パッド１の股部分１２において相互連結されている。
【００５４】
図１３による失禁パッド１は側部フラップ３と内側バリヤー５との間に配置された予め緊張された状態で適用された弾性要素３０を有する。弾性要素３０は少なくとも弾性要素３０の端部分において及び少なくとも弾性要素３０の端部分の間の点において内側バリヤー５及び側部フラップ３の両方に好適に連結されている。収縮すると、弾性要素３０は内側バリヤー５及び側部フラップ３の両方を液体透過性カバー層２の平面から離れて隆起された配置にもたらす。
【００５５】
図１４は股部分１２における失禁パッド１の一方の側部フラップ３及び一方の内側バリヤー５を通した失禁パッド１の拡大された断面図を示す。内側バリヤー５及び側部フラップ３は本質的に液体不透過性の材料ウェブ１７を含む。内側バリヤー５及び側部フラップ３は本質的に液体不透過性の材料ウェブ１７を含む。材料ウェブ１７は失禁パッド１の縦方向中央線２７と内側バリヤー５との間に位置された内側縦方向縁１８を有する。材料ウェブ１７は失禁パッド１の縦方向中央線２７と内側バリヤー５との間で液体透過性カバー層２に連結されている。液体不透過性カバー層２及び材料ウェブ１７は吸収体６の外側で相互連結されている。
【００５６】
内側バリヤー５は液体不透過性カバー層４と材料ウェブ１７の連結部分において折り畳まれることによって形成され、この折り畳みは接着剤２９によってその位置に固定される。内側バリヤー５は接着剤１３によって側部フラップ３に連結されている。
【００５７】
図１４の失禁パッド１は伸縮性をもたされた内側バリヤー５を有する。内側バリヤー５は接着剤１３によって側部フラップ３に連結されている。内側バリヤー５の自由縁７に関連して配置され予め緊張された状態で適用された弾性要素１１は少なくとも弾性要素の端部分において内側バリヤー５に連結されている。収縮すると、弾性要素１１は内側バリヤー５及び側部フラップ３の両方を液体透過性カバー層２の平面から離れる方向に隆起された配置へともたらす。
【図面の簡単な説明】
【図１】
使用中着用者に面することを意図される側からみた吸収製品を示す。図１ａは使用中着用者に面することを意図される側からみた吸収製品の代替実施態様を示す。
【図２】
使用中着用者から離れて面することを意図される側からみた吸収製品を示す。
【図３】
本発明の第一実施態様による図１及び２中の製品のバリヤーの断面図を示す。
【図４】
本発明の第二実施態様による図１ａ及び２中の製品のバリヤーの断面図を示す。
【図５】
本発明の第三実施態様による図１及び２中の製品のバリヤーの断面図を示す。
【図６】
本発明の第四実施態様による図１ａ及び２中の製品のバリヤーの断面図を示す。
【図７】
本発明の第五実施態様による図１及び２中の製品のバリヤーの断面図を示す。
【図８】
本発明の第六実施態様による図１ａ及び２中の製品のバリヤーの断面図を示す。
【図９】
本発明の第七実施態様による図１及び２中の製品のバリヤーの断面図を示す。
【図１０】
本発明の第八実施態様による図１ａ及び２中の製品のバリヤーの断面図を示す。
【図１１】
本発明の第九実施態様による図１及び２中の製品のバリヤーの断面図を示す。
【図１２】
本発明の第十実施態様による図１ａ及び２中の製品のバリヤーの断面図を示す。
【図１３】
本発明の第十一実施態様による製品のバリヤーの断面図を示す。
【図１４】
本発明の第十二実施態様による図１中の製品の断面図を示す。
【図１】
2004511301.tif 000003
【図２】
2004511301.tif 000004
【図３】
2004511301.tif 000005
【図４】
2004511301.tif 000006
【図５】
2004511301.tif 000007
【図６】
2004511301.tif 000008
【図７】
2004511301.tif 000009
【図８】
2004511301.tif 000010
【図９】
2004511301.tif 000011
【図１０】
2004511301.tif 000012
【図１１】
2004511301.tif 000013
【図１２】
2004511301.tif 000014
【図１３】
2004511301.tif 000015
【図１４】
2004511301.tif 000016
【国際公開パンフレット】
2004511301.tif 000017
2004511301.tif 000018
2004511301.tif 000019
2004511301.tif 000020
2004511301.tif 000021
2004511301.tif 000022
2004511301.tif 000023
2004511301.tif 000024
2004511301.tif 000025
2004511301.tif 000026
2004511301.tif 000027
2004511301.tif 000028
2004511301.tif 000029
2004511301.tif 000030
2004511301.tif 000031
2004511301.tif 000032
2004511301.tif 000033
2004511301.tif 000034
2004511301.tif 000035
2004511301.tif 000036
2004511301.tif 000037
2004511301.tif 000038
2004511301.tif 000039
2004511301.tif 000040
2004511301.tif 000041
2004511301.tif 000042
2004511301.tif 000043
2004511301.tif 000044
【国際調査報告】
2004511301.tif 000045
2004511301.tif 000046
2004511301.tif 000047